(57)【要約】      （修正有）【課題】画面が単純パターンを表示する際の動作を制限することによって、電力消費を低減する【解決手段】アプリケーション・プロセッサＡＰは、画像フレームを複数の領域に分割し、分割領域に対応する画像データを圧縮してメモリ１２０に供給し、復元器１１０は、メモリ１２０から圧縮画像データを読み取り、圧縮画像データを復元した画像データｉｍｇ．ｄａｔａを分割領域に従って出力し、ブロック走査器２１０は、復元した画像データｉｍｇ．ｄａｔａを再構成することによってブロックを生成し、ブロックの走査によってブロックが単純パターンから構成されているかどうかを決定し、パターン・バッファ２２０内に走査結果を保存し、パターン生成器２３０は、データ選択信号ＤＡＴＡ  ＳＥＬの供給によってマルチプレクサＭＵＸを制御し、画像データｉｍｇ．ｄａｔａ又は単純パターンに対応する画像データの一方をソース・ドライバ３００に供給する。【選択図】図２
2018173639.tif 000002
【特許請求の範囲】
【請求項１】
表示器の駆動方法であって、前記方法は、
画像フレームを分割、圧縮することによってデータを受信、保存すること、
前記データを復元すること、
前記復元データを走査すること、
前記走査結果を保存すること、及び
前記走査結果に対応する画像を表示すること
を含む方法。
【請求項２】
前記復元データの走査は、前記データに対応する画像が単純パターンに対応するかどうかを決定することを含む、請求項１に記載の方法。
【請求項３】
前記復元データの走査は、前記データに対応する画像が所定の単純パターンのいずれか１つに対応するかどうかを決定することを含む、請求項１に記載の方法。
【請求項４】
前記単純パターンは、前記表示器上に黒色を示す、請求項２に記載の方法。
【請求項５】
前記単純パターンは、前記表示器上に所定の模様を示すパターン及び同一色を示すパターンのいずれか１つである、請求項２に記載の方法。
【請求項６】
前記走査結果に対応する前記画像表示は、前記単純パターンと非単純パターンとを交互に表示することを含む、請求項２に記載の方法。
【請求項７】
前記走査結果は、
前記データに対応する画像が所定の単純パターンに対応するかどうかの決定結果、及び
所定の複数の単純パターンのうちどれが前記データに対応する画像に対応するかの分類結果
を含む、請求項１に記載の方法。
【請求項８】
前記走査結果に対応する前記画像表示は、
前記保存した走査結果に対応する画像を生成、表示すること、又は
事前保存画像の中で前記走査結果に対応する画像を表示すること
を含む、請求項１に記載の方法。
【請求項９】
表示デバイスであって、
画像フレームを分割、圧縮することによって得たデータを受信、保存するように構成したメモリ、
前記メモリ内に保存した前記データを読み取り、復元するように構成した復元器、
前記復元データを走査するように構成したブロック走査器、
前記走査結果を保存するように構成したパターン・バッファ、及び
前記走査結果に対応するパターン・データが表示器上に出力されるように前記表示器を制御するように構成したパターン生成器
を備える表示デバイス。
【請求項１０】
前記ブロック走査器は、前記データが単純パターンに対応するかどうかを決定する、請求項９に記載の表示デバイス。
【請求項１１】
前記データが前記単純パターンに対応する場合、前記ブロック走査器は、複数の事前保存単純パターンのうちどれが前記データに対応するかを分類するために、前記データを走査する、請求項１０に記載の表示デバイス。
【請求項１２】
前記単純パターンは、前記表示器上に黒色を示す、請求項１０に記載の表示デバイス。
【請求項１３】
前記単純パターンは、前記表示器上に所定の模様を示すパターン及び単色を示すパターンのいずれか１つである、請求項１０に記載の表示デバイス。
【請求項１４】
マルチプレクサを更に備え、
前記走査結果が非単純パターンに対応する場合、前記パターン生成器は、前記マルチプレクサが前記復元データを出力するように前記マルチプレクサを制御する、請求項１０に記載の表示デバイス。
【請求項１５】
前記パターン生成器は、パターンを保存するように構成したメモリを含み、
前記走査結果が、前記メモリ内に保存した前記複数のパターンのいずれか１つに対応する場合、前記パターン生成器は、対応する前記パターンを出力する、請求項９に記載の表示デバイス。
【請求項１６】
前記パターン生成器は、前記走査結果に対応する前記パターンを生成、出力する、請求項９に記載の表示デバイス。
【請求項１７】
ソース・ドライバを更に備え、
前記パターン生成器は、前記走査結果に対応する前記パターンを表示するように制御信号を前記ソース・ドライバに供給する、請求項９に記載の表示デバイス。
【請求項１８】
前記表示デバイスは、タイミング制御器内に含まれ、
前記タイミング制御器は、モバイル・インダストリ・プロセッサ・インターフェース（ＭＩＰＩ）を通してアプリケーション・プロセッサから前記圧縮データを受信する、請求項９に記載の表示デバイス。
【請求項１９】
ソース・ドライバであって、
ガンマ電圧を供給するように構成したガンマ生成器、
前記ガンマ電圧を受信し、対応するグレースケール信号に変換するように構成したデジタル・アナログ変換器、
前記グレースケール信号をバッファに入れ、画素に出力するように構成したバッファ増幅器、及び
前記同一のグレースケール信号を前記画素に供給するように前記画素を電気的に接続するように構成したスイッチ
を備えるソース・ドライバ。
【請求項２０】
前記スイッチは、所定領域内の全ての画素を電気的に接続する、請求項１９に記載のソース・ドライバ。
【請求項２１】
前記スイッチは、所定領域内の画素を電気的に接続し、同一の色を表示する、請求項１９に記載のソース・ドライバ。
【請求項２２】
前記ガンマ生成器は、赤色ガンマ生成器、緑色ガンマ生成器及び青色ガンマ生成器を含み、
前記赤色ガンマ生成器、前記緑色ガンマ生成器及び前記青色ガンマ生成器のそれぞれは、複数の増幅器を含み、前記複数の増幅器の少なくともいくつかによって前記ガンマ電圧を供給する、請求項１９に記載のソース・ドライバ。
【請求項２３】
前記少なくともいくつかの増幅器は、前記赤色ガンマ生成器、前記緑色ガンマ生成器及び前記青色ガンマ生成器内に含まれる増幅器の１つを含む、請求項２２に記載のソース・ドライバ。
【請求項２４】
前記少なくともいくつかの増幅器は、前記赤色ガンマ生成器内に含まれる増幅器の１つ、前記緑色ガンマ生成器内に含まれる増幅器の１つ、及び前記青色ガンマ生成器内に含まれる増幅器の１つを含む、請求項２２に記載のソース・ドライバ。
【請求項２５】
前記バッファ増幅器の１つは、前記グレースケール信号を１つの群内の全ての画素に供給する、請求項１９に記載のソース・ドライバ。
【請求項２６】
前記バッファ増幅器の１つは、前記グレースケール信号を１つの群内に含まれる画素に供給し、同一の色を表示する、請求項１９に記載のソース・ドライバ。
【請求項２７】
前記バッファ増幅器の起動は、外部から供給される制御信号によって制御される、請求項１９に記載のソース・ドライバ。
【請求項２８】
前記ガンマ生成器の起動は、外部から供給される制御信号によって制御される、請求項１９に記載のソース・ドライバ。
【請求項２９】
前記制御信号は、前記ソース・ドライバによって駆動されるブロックの表示画像が単純パターンに対応する場合に供給される、請求項２７又は２８に記載のソース・ドライバ。
【発明の詳細な説明】
【技術分野】
【０００１】
関連出願の相互参照
本出願は、２０１７年３月３０日出願の韓国特許出願第１０−２０１７−００４０６５６号（特許文献１）、及び２０１８年２月２６日出願の同第１０−２０１８−００２２９４８号（特許文献２）の優先権及び利益を主張するものであり、これら出願の開示が、参照により本明細書に全体に組み込まれる。
【０００２】
本発明は、表示器、表示デバイス及びソース・ドライバの駆動方法に関する。
【背景技術】
【０００３】
既存の高精細表示デバイスでは、主プロセッサから表示デバイスに高速で伝送される表示データ量を低減するために、ディスプレイ・ストリーム・コンプレッション（ＤＳＣ）等の圧縮／非圧縮データ伝送方法を使用している。圧縮データを有する画面を駆動するために、赤色、緑色及び青色（ＲＧＢ）信号への変換が必要である。この目的で、復号論理が必要であり、圧縮データを保存するメモリを使用する必要もある。復元された色画像信号は、ソース・ドライバに直接入力され、ソース・ドライバは、表示画素を駆動するために使用されるか、又はピクチャ品質改良部を介してソース・ドライバの入力データとして使用される。
【０００４】
近年、映像又はインターネット視聴等の大量の情報のための表示使用に加えて、表示システムを通してリアルタイムで少量の情報を供給する新たな表示使用方法が出現している。一例として、デバイスが遊休状態である場合、表示パネルのほとんどの領域は、電力消費を低減するために黒色を示しているが、時間等の情報を、表示パネルの一部を通して表示することができる。この場合、全体の電力消費を低減するために、領域のほとんどは、黒色画面を示しており、情報の表示は、色信号又は単純な単色画面として実現される。
【０００５】
この場合でさえ、デジタル回路によって画像を生成するために消費する電力は、電力消費全体の大部分を要する。論理回路の電力消費は、低電力消費しか必要としない黒色パターンでさえ比較的増大するため、電力消費を効率的に改良する必要がある。
【先行技術文献】
【特許文献】
【０００６】
【特許文献１】韓国特許出願第１０−２０１７−００４０６５６号
【特許文献２】韓国特許出願第１０−２０１８−００２２９４８号
【発明の概要】
【発明が解決しようとする課題】
【０００７】
本発明は、画面が単純パターンを表示する際の動作を制限することによって、電力消費を低減することに関する。
【課題を解決するための手段】
【０００８】
本発明の一態様によれば、表示器の駆動方法を提供するものであり、方法は、画像フレームを分割、圧縮することによって得たデータを受信、保存すること、データを復元すること、復元したデータを走査すること、走査結果を保存すること、及び走査結果に対応する画像を表示することを含む。
【０００９】
本発明の別の態様によれば、表示デバイスを提供し、表示デバイスは、画像フレームを分割、圧縮することによって得たデータを受信、保存するように構成したメモリ、メモリ内に保存したデータを読み取り、復元するように構成した復元器、復元データを走査するように構成したブロック走査器、走査結果を保存するように構成したパターン・バッファ、及び走査結果に対応するパターン・データが表示デバイス上に出力されるように表示デバイスを制御するように構成したパターン生成器を含む。
【００１０】
本発明の上記及び他の目的、特徴及び利点は、添付の図面を参照する本発明の例示的実施形態の詳細な説明によって当業者にはより明らかになるであろう。
【図面の簡単な説明】
【００１１】
【図１】第１の例示的実施形態による表示デバイスの駆動方法を示す概略フローチャートである。
【図２】第１の例示的実施形態による表示デバイスの概略ブロック図である。
【図３】第１の例示的実施形態による表示デバイスのタイミング図である。
【図４】遊休状態の表示デバイスを示す概略図である。
【図５】第２の例示的実施形態による表示デバイスの概略図である。
【図６】第２の例示的実施形態による表示デバイスのタイミング図である。
【図７】遊休状態の表示デバイスを示す概略図である。
【図８】第１のパターン信号及び第２のパターン信号を受信し、対応するパターンを表示するソース・ドライバを例示する図である。
【図９】第１のパターン信号及び第２のパターン信号を受信し、対応するパターンを表示するソース・ドライバを例示する図である。
【図１０】第１のパターン信号及び第２のパターン信号を受信し、対応するパターンを表示するソース・ドライバを例示する図である。
【発明を実施するための形態】
【００１２】
本明細書で開示する特定の構造及び機能の詳細は、本発明の例示的実施形態の説明を目的とする単に典型的なものであり、本発明は、多くの代替形態で実施することができ、本明細書で示す本発明の例示的実施形態への限定として解釈すべきではない。したがって、本発明は様々な修正及び代替形態が可能であるが、本発明の特定の実施形態を図面に例として示し、本明細書で詳細に説明する。しかし、本発明を開示する特定の形態に限定する意図はなく、反対に、本発明は、本発明の趣旨及び範囲内にある全ての修正、等価物及び代替を含むものであることを理解されたい。
【００１３】
本明細書で使用する用語は以下のように理解されたい。
【００１４】
用語「第１」、「第２」等は、ある要素を他の要素から区別するために使用しているにすぎず、本発明の範囲をこれらの用語によって限定すべきではない。例えば、第１の要素を第２の要素と称することができ、その逆も同様である。
【００１５】
単数形は、文脈が別段に明らかに示さない限り、複数形も同様に含むことを意図する。用語「備える」、「含む」及び「有する」は、本明細書で使用する場合、述べた特徴、整数、ステップ、動作、要素、部品又はそれらの組合せの存在を特定するが、１つ又は複数の他の特徴、整数、ステップ、動作、要素、部品又はそれらの組合せの存在又は追加を除外しないものであることは更に理解されよう。
【００１６】
本明細書で使用する用語「及び／又は」は、１つ又は複数の列挙項目のあらゆる全ての組合せを示す。例えば、「Ａ及び／又はＢ」は、「Ａ、Ｂ、並びにＡ及びＢの両方」を示すものとして理解されたい。
【００１７】
本発明の例示的実施形態は、別段に説明がない限り、単線、差動線及び母線を区別することなく説明する。しかし、単線、差動線及び母線は、必要に応じて説明を区別する。
【００１８】
別段に説明がない限り、本発明は、正論理信号方式、立ち上がりエッジ・サンプリング、及びハイ状態を制御電極にもたらすとオンになるスイッチに基づき説明する。したがって、信号がハイ状態のときの信号の状態を実施し、サンプリングは、立ち上がりエッジで実施する。しかし、これらは、説明の利便性を目的とし、本発明の範囲を限定することを決して意図するものではない。更に、当業者は、負論理信号方式、立ち下がりエッジ・サンプリング及びロー状態信号をもたらすとオンになるスイッチを使用して本発明を実施することができる。
【００１９】
第１の例示的実施形態
本発明の例示的実施形態による表示デバイス及び表示デバイスの駆動方法を、添付の図面を参照しながら以下で説明する。図１は、本発明の例示的実施形態による表示デバイスの駆動方法を示す概略フローチャートであり、図２は、本発明の例示的実施形態による表示デバイスの概略ブロック図であり、図３は、本発明の例示的実施形態による表示デバイスのタイミング図である。図１を参照すると、本発明の例示的実施形態による表示デバイスの駆動方法は、圧縮画像データを受信、保存する動作（Ｓ１００）、圧縮画像データを復元する動作（Ｓ２００）、ブロックを生成するために復元画像を再構成し、所定のパターンを走査する動作（Ｓ３００）、パターン・バッファ内に走査結果を保存する動作（Ｓ４００）、及び走査結果に対応する画像を表示する動作（Ｓ５００）を含む。
【００２０】
本発明の例示的実施形態による表示デバイス１０は、画像フレームを分割、圧縮することによって得たデータを受信、保存するメモリ１２０、メモリ１２０内に保存したデータを読み取り、復元する復元器１１０、復元データを走査するブロック走査器２１０、走査結果を保存するパターン・バッファ２２０、及び走査結果に対応するパターン・データが表示器上に出力されるように表示器を制御するパターン生成器２３０を含む。
【００２１】
図４は、遊休状態の表示デバイス１を示す概略図である。図４を参照すると、アプリケーション・プロセッサＡＰは、１つのフレーム画像を複数の領域に分割し、分割領域に従ったインターフェース（例えばモバイル・インダストリ・プロセッサ・インターフェース（ＭＩＰＩ）を通して画像データを送信することができる。例示的実施形態では、アプリケーション・プロセッサＡＰは、デジタル・ストリーム・コンプレッション（ＤＳＣ）プロトコルに従ってデジタルフレーム画像を分割、送信することができる。例示的実施形態では、表示デバイス１が遊休状態である場合、アプリケーション・プロセッサＡＰは、単色で満たされた単純パターンをいくつかの領域Ｓ１及びＳ３内に表示し、非単純パターンをその他の領域Ｓ２に表示することができる。
【００２２】
図１から図３を参照すると、アプリケーション・プロセッサＡＰは、タイミング制御器（ＴＣＯＮ）１００内のメモリ１２０にインターフェースを通して画像データを供給し、これらの画像データは、表示パネルを通して表示したい画像、及び表示したい領域に対応する。例示的実施形態では、アプリケーション・プロセッサＡＰは、画像フレームをＤＳＣ画像圧縮プロトコルに対応する領域に分割し、分割領域に対応する画像データを圧縮し、圧縮画像データをメモリ１２０に供給する。別の例示的実施形態では、アプリケーション・プロセッサＡＰは、画像を更新する領域に対応する画像データのみを圧縮し、圧縮画像データをメモリ１２０に供給することができる。
【００２３】
例示的実施形態では、アプリケーション・プロセッサＡＰが圧縮データを送信するインターフェースは、モバイル・デバイスの構成要素の間のインターフェースであるＭＩＰＩとすることができる。
【００２４】
メモリ１２０は、アプリケーション・プロセッサＡＰからインターフェースＭＩＰＩを通して圧縮画像データを受信し、圧縮画像データを保存する。
【００２５】
例示的実施形態では、アプリケーション・プロセッサＡＰが供給した画像データは、いずれか１つのフレームを複数の領域に分割し、これらの分割領域を圧縮することによって得た画像データとすることができる。別の例示的実施形態では、アプリケーション・プロセッサＡＰが供給する画像データは、いずれか１つのフレーム内で更新したい領域の画像データとすることができる。
【００２６】
復元器１１０は、メモリ１２０から圧縮画像データを読み取り、圧縮画像データを復元し、画像データｉｍｇ．ｄａｔａを分割領域に従って出力する（Ｓ２００）。復元器１１０は、アプリケーション・プロセッサＡＰが画像データを圧縮したプロトコルに従って圧縮画像データを復元する。一例として、アプリケーション・プロセッサＡＰが画像データをＤＳＣプロトコルに従って圧縮した場合、復元器１１０は、ＤＳＣプロトコルと同じプロトコルに従って圧縮画像データを復元する。
【００２７】
例示的実施形態では、新たな画像データをアプリケーション・プロセッサＡＰから受信した場合、タイミング制御器１００は、更新フラグｕｐｄａｔｅｆｌａｇをハイ状態に保持する。更新フラグｕｐｄａｔｅｆｌａｇがハイ状態である場合、パターン生成器２３０は、メモリ起動信号ｍｅｍｏｒｙ＿ｅｎ及び復元器起動信号ｄｅｃｏｍｐ＿ｅｎによってメモリ１２０及び復元器１１０を起動し、新たな画像データを保存及び／又は復元するようにする。更新フラグｕｐｄａｔｅｆｌａｇがロー状態である場合、メモリ１２０及び復元器１１０が起動しているかどうかを画像データｉｍｇ．ｄａｔａのパターンに従って決定することができる。図２に示す例示的実施形態では、更新フラグｕｐｄａｔｅｆｌａｇは、メモリ１２０によって供給することができる。
【００２８】
復元器１１０によって出力した画像データｉｍｇ．ｄａｔａは、ブロック走査器２１０に供給する。ブロック走査器２１０は、供給した画像データｉｍｇ．ｄａｔａを再構成することによってブロックを生成し、ブロックの走査によってブロックが単純パターンから構成されているかどうかを決定し、バッファ２２０内に走査結果を保存する（Ｓ３００及びＳ４００）。一例として、ブロック走査器２１０は、ブロックを走査することによって、再構成したブロックが単純パターンに対応するかどうかを決定する。単純パターンは、黒色、灰色、白色等の単色パターンとすることができる。別の例として、単純パターンは、格子パターン、ダイアモンド・パターン等の所定形状のパターンとすることができる。走査工程で再構成したブロックが単純パターンに対応することを決定した場合、ブロック走査器２１０は、所定の複数の単純パターンのうちどれが単純パターンに対応するかを示す走査結果をバッファ２２０内に保存する。したがって、ブロック走査器２１０によって供給した走査結果は、再構成したブロックが単純パターンに対応するかどうかの決定結果、及び所定の複数の単純パターンのうちどれが再構成ブロックに対応するかの分類結果を含むことができる。
【００２９】
例示的実施形態では、ブロック走査器２１０は、ブロックの画素座標、ブロックの画素値、及び所定の閾値を有する画素値の平均のうち少なくとも１つを比較することによって、ブロックが単純パターンから構成されているかどうかを決定することができる。
【００３０】
例示的実施形態では、ブロック走査器２１０によって再構成したブロックは、フレーム画像を分割したアプリケーション・プロセッサＡＰが生成したブロックと同じとすることができる。別の例示的実施形態では、ブロック走査器２１０によって再構成したブロックは、フレーム画像を分割したアプリケーション・プロセッサＡＰが生成したブロックよりも大きくてもよい。別の例示的実施形態では、ブロック走査器２１０によって再構成したブロックは、フレーム画像を分割したアプリケーション・プロセッサＡＰが生成したブロックよりも小さくてもよい。
【００３１】
パターン生成器２３０は、更新フラグｕｐｄａｔｅｆｌａｇを受信し、データ選択信号ＤＡＴＡ  ＳＥＬを供給することによってマルチプレクサＭＵＸを制御し、マルチプレクサＭＵＸが、復元器１１０によって出力した画像データ又は単純パターンに対応する画像データを出力するようにする。
【００３２】
例示的な一実施形態では、バッファ２２０から読み取ったブロックの走査結果が所定の単純パターンのいずれか１つに対応する場合、パターン生成器２３０は、走査結果に対応する画像データを生成、出力することができる（Ｓ５００）。別の例示的実施形態では、パターン生成器２３０は、所定の複数の単純パターンに対応する画像データを保存するメモリ（図示せず）を中に含むことができる。上記のように、所定の複数の単純パターンは、黒色、灰色、白色等の単色パターン、又は格子パターン、ダイアモンド・パターン等の形状パターンとすることができる。
【００３３】
パターン生成器２３０は、バッファ２２０からのブロックの走査結果を読み取り、走査結果がパターン生成器２３０内に保存されている単純パターンに対応する場合、走査結果に対応しパターン生成器２３０内に保存されていた単純パターン画像データを出力する。
【００３４】
バッファ２２０から読み取ったブロックの走査結果が単純パターンに対応する場合、パターン生成器２３０は、データ選択信号ＤＡＴＡ  ＳＥＬによりマルチプレクサＭＵＸを制御し、単純パターンに対応する画像データをソース・ドライバ３００に供給する（Ｓ７００）。バッファ２２０から読み取った走査結果が単純パターンに対応しない場合、パターン生成器２３０は、メモリ起動信号ｍｅｍｏｒｙ＿ｅｎ及び復元器起動信号ｄｅｃｏｍｐ＿ｅｎによりメモリ１２０及び復元器１１０を起動する。
【００３５】
起動された復元器１１０は、メモリ１２０内に保存した圧縮データを復元し、パターン生成器２３０は、データ選択信号ＤＡＴＡ  ＳＥＬの供給によってマルチプレクサＭＵＸを制御し、ブロックの画像データをソース・ドライバ３００に供給するようにする。ソース・ドライバ３００は、表示パネルが、供給された画像データに対応する画像を表示するように表示パネルを駆動する。
【００３６】
図１から図４を参照しながら、本発明の例示的実施形態による表示器の駆動方法を以下で概略的に説明する。アプリケーション・プロセッサによってタイム・スロットｔで供給する画像データは、単純パターンを領域Ｓ１及びＳ３内に表示し非単純パターンを領域Ｓ２内に表示する図４に示す画像に対応すると仮定する。
【００３７】
アプリケーション・プロセッサＡＰが、画像フレームをタイム・スロットｔで分割、圧縮することによって得た画像データを供給する場合、タイミング制御器１００は、更新フラグｕｐｄａｔｅｆｌａｇをハイ状態に切り替える。復元器１１０は、ハイ状態の更新フラグに従って供給された画像データを、対応するプロトコルに従って復元し、復元した画像データを出力する。
【００３８】
ブロック走査器２１０は、領域Ｓ１、Ｓ２及びＳ３内に含まれるブロックの画像データを受信し、それぞれの領域Ｓ１、Ｓ２及びＳ３内に含まれるブロックを個別に走査し、走査結果をバッファ２２０内に保存する（バッファ書込み）。例えば、領域Ｓ１内に含まれるブロックは、黒色で満たされた単純パターンであるので、ブロック走査器２１０は、ブロック画像データを走査し、パターン・バッファ２２０内に、ブロックが単純パターンであり、黒色で満たされた単色パターンであることを示す走査結果を保存する。領域Ｓ２内に含まれるブロックによって表示される画像は単純パターンではないので、ブロック走査器２１０は、パターン・バッファ２２０内に、領域Ｓ２内に含まれるブロックが非単純パターンであることを示す走査結果を保存する。ブロック走査器２１０は、黒色で満たされた単純パターンである領域Ｓ３に対応するブロック画像データを受信し、ブロック画像データを走査し、パターン・バッファ２２０内に、対応するブロックが黒色単純パターンであることを示す走査結果を保存する。タイム・スロットｔ＋１において、画像更新を実施しないため、更新フラグｕｐｄａｔｅｆｌａｇをロー状態に切り替える。タイム・スロットｔ＋１の周期Ｓａにおいて、パターン生成器２３０は、パターン・バッファ２２０内に保存した領域Ｓ１の走査結果を読み取り、対応するブロックが単純パターンである場合、対応するブロックが何の種類の単純パターンであるかを決定する（バッファ読取り）。領域Ｓ１内に含まれる全てのブロックは、黒色であるので、ブロックの走査結果を、黒色である単色の単純パターンとしてバッファ２２０内に保存する。
【００３９】
パターン生成器２３０は、中に保存した複数の単純パターンと、パターン・バッファ２２０内に保存した走査結果とを比較する。パターン生成器２３０内に保存した単純パターンがパターン・バッファ２２０内に保存した走査結果に対応する場合、パターン生成器２３０は、走査結果に対応する画像データを出力し、マルチプレクサＭＵＸの制御によって画像データをソース・ドライバ３００に供給する。
【００４０】
一例として、パターン生成器２３０は、単純パターンに対応する画像データを生成、出力することができる。別の例として、パターン生成器２３０は、内部メモリ（図示せず）内に保存した画像データを出力することができる。
【００４１】
領域Ｓ２内に含まれるブロックの走査結果は、非単純パターンとしてパターン・バッファ２２０内に保存する。期間Ｓｂにおいて、パターン生成器２３０は、非単純パターンを示す走査結果を読み取り、メモリ起動信号ｍｅｍｏｒｙ＿ｅｎ及び復元器起動信号ｄｅｃｏｍｐ＿ｅｎの供給によってメモリ１２０及び復元器１１０を起動する。パターン生成器２３０は、復元器１１０によって供給した、領域Ｓ２内に含まれるブロックに対応する画像データを、データ選択信号ＤＡＴＡ  ＳＥＬによるマルチプレクサＭＵＸの制御によってソース・ドライバ３００供給する。
【００４２】
領域Ｓ３内に含まれる全てのブロックも黒色で満たされた単色パターンであるので、ブロックの走査結果を、黒色であって、パターン生成器２３０内に保存した結果と一致する単色の単純パターンとしてバッファ２２０内に保存する。期間Ｓｃにおいて、パターン生成器２３０は、単純パターンに対応する画像データを、マルチプレクサＭＵＸを通してソース・ドライバ３００に供給する。
【００４３】
アプリケーション・プロセッサＡＰは、更新すべきブロックの画像データを供給することによって、部分的にパターンを更新する復元器１１０及びメモリ１２０を駆動するため、消費電力の更なる低減が可能である。
【００４４】
関連技術によれば、新たなフレームの画像更新をアプリケーション・プロセッサによって実施しない場合でさえ、又は、時間等のユーザ情報を部分表示領域内に表示する間でさえ、表示デバイスは、以前のフレーム内に保存した圧縮画像データを復元し、表示駆動のための入力信号をソース・ドライバに供給する。このために、復元器及びメモリを１つのフレーム内で駆動するため、不必要な電力消費がある。
【００４５】
しかし、本発明の実施形態によれば、パターン・バッファ２２０内に保存した画像データが所定パターンに対応しており、画像の更新がない場合、メモリ１２０及び復元器１１０は非起動状態であるため、消費電力の低減が可能である。
【００４６】
第２の例示的実施形態
添付の図面を参照しながら第２の例示的実施形態を以下で説明する。しかし、第１の例示的実施形態の説明と同一又は同様である説明は、簡単且つ明瞭にするために省略することがある。第１の例示的実施形態及び第２の例示的実施形態は、相互に排他的ではないため、第１の例示的実施形態で説明した構成要素の少なくとも一部及び第２の例示的実施形態で説明する構成要素の少なくとも一部は、一緒に実施することができる。
【００４７】
図５は、第２の例示的実施形態による表示デバイスの概略図であり、図６は、第２の例示的実施形態による表示デバイスのタイミング図である。アプリケーション・プロセッサからタイム・スロットｔで供給する画像データは、図７に示す画像に対応し、第１の単純パターン及び第２の単純パターンはそれぞれ、領域Ｓ１及びＳ３内に表示し、非単純パターンは、領域Ｓ２内に表示すると仮定する。図５から図７を参照すると、ブロック走査器２１０は、復元器１１０によって供給した画像データｉｍｇ．ｄａｔａを所定のブロックに再構成する。ブロック走査器２１０は、それぞれのブロックを走査、分類することによって、再構成したブロックのそれぞれが、所定の単純パターンのいずれか１つに対応するかどうかを決定する。一例では、所定の単純パターンは、ブロックが黒色で満たされているパターンとすることができる。別の例では、所定の単純パターンは、ブロックが灰色、緑色等の単色で満たされている単色パターンとすることができる。別の例では、所定の単純パターンは、ブロックが格子模様、ダイアモンド模様、格子縞模様等の形状模様で満たされているパターンとすることができる。決定をもたらす走査結果は、バッファ２２０に供給する（バッファ書込み）。
【００４８】
更新フラグｕｐｄａｔｅｆｌａｇをロー状態に切り替えている場合、パターン生成器２３０は、パターン・バッファ２２０からブロックの走査結果を読み取る（バッファ読取り）。ブロックの走査結果がパターン生成器２３０内に保存した第１のパターンに対応する場合、第１のパターン信号（第１のパターン）をソース・ドライバ３００に供給し、ブロックの走査結果が第２のパターンに対応する場合、第２のパターン信号（第２のパターン）をソース・ドライバ３００に供給する。例えば、第１のパターンは、ブロックが黒色で満たされているパターンとすることができ、第２のパターンは、ブロックが灰色、緑色等の単色で満たされているパターンとすることができる。
【００４９】
タイム・スロットｔ＋１において、パターン生成器２３０によってバッファ２２０から読み取った走査結果は第１のパターンに対応するので、パターン生成器２３０は、第１のパターン信号（第１のパターン）をハイ状態に切り替える。ハイ状態の第１のパターン信号は、ソース・ドライバ３００に供給される（期間Ｓａ）。
【００５０】
パターン生成器２３０は、非単純パターンとして分類された結果をパターン・バッファ２２０から読み取り、メモリ起動信号ｍｅｍｏｒｙ＿ｅｎ及び復元器起動信号ｄｅｃｏｍｐ＿ｅｎを供給することによってメモリ１２０及び復元器１１０を起動し、非単純パターンを表示するようにする（期間Ｓｂ）。
【００５１】
パターン生成器２２０によってバッファ２２０から読み取った領域Ｓ３の走査結果は第２のパターンに対応するので、パターン生成器２３０は、第２のパターン信号（第２のパターン）をハイ状態に切り替える。ハイ状態の第２のパターン信号は、ソース・ドライバ３００に供給される（期間Ｓｃ）。
【００５２】
第１のパターン信号（第１のパターン）又は第２のパターン信号（第２のパターン）を受信すると、ソース・ドライバ３００は、受信したパターン信号に対応するパターンを表示するように表示デバイスを駆動する。
【００５３】
添付の図面は、２つのパターン、即ち第１のパターン及び第２のパターンのみがあるという仮定に基づいて説明している。しかし、この仮定は説明の目的にすぎず、所定の単純パターンの数及びそれぞれの単純パターンを示す信号の数は、増加又は低減することができる。
【００５４】
本発明の例示的実施形態によれば、ブロックの走査結果が所定のパターンに対応する場合、パターン生成器２３０は、パターンを生成することなく、パターンに対応する信号をソース・ドライバに供給する。したがって、パターン生成で消費される電力を低減することが可能である。
【００５５】
ソース・ドライバ
ソース・ドライバ３００を以下で概略的に説明する。図８は、例示的実施形態によるソース・ドライバの図であり、図９は、赤色ガンマ生成器の概略的回路図である。図８及び図９を参照すると、ソース・ドライバ３００は、赤色ガンマ生成器、緑色ガンマ生成器、青色ガンマ生成器、ガンマ生成器が供給したガンマ信号を、対応するグレースケール信号に変換するデジタル・アナログ変換器ＤＡＣ、グレースケール信号を増幅し、増幅したグレースケール信号を、負荷である画素に供給するバッファ増幅器ａｍｐｒ１、ａｍｐｇ１、ａｍｐｂ１、ａｍｐｒ２、ａｍｐｇ２、ａｍｐｂ２、・・・、及び画素を電気的に接続するスイッチＳＷを含む。
【００５６】
スイッチＳＷは、制御信号ｃｏｎによって制御することができ、制御信号ｃｏｎは、図５及び図６の第１のパターン信号（第１のパターン）及び第２のパターン信号（第２のパターン）のいずれか１つ、又は第１のパターン信号（第１のパターン）及び第２のパターン信号（第２のパターン）からの論理計算によって生成した信号とすることができる。図８の例示的実施形態では、スイッチＳＷをオンにすると、１つの群内に含まれる画素Ｒ１、Ｇ１、Ｂ１、Ｒ２、Ｇ２、Ｂ２、・・・に同じグレースケール電圧を供給することができる。
【００５７】
論理ハイ状態の制御信号ｃｏｎを供給する場合、緑色ガンマ生成器及び青色ガンマ生成器は、制御信号ｃｏｎの反転によって生成した起動信号ｅｎによって非起動状態にされる。また、赤色ガンマ生成器内に含まれる複数の増幅器ａｍｐn、ａｍｐn-1、・・・、ａｍｐ1は、赤色ガンマ生成器に供給される起動信号ｅｎによって非起動状態にされるが、所定のガンマ電圧を出力する増幅器ａｍｐ0は駆動され、標的グレースケール電圧を出力する。図９に示すように、論理ロー状態の起動信号ｅｎを供給すると、スイッチをオフにし、駆動電圧Ｖｄｄ、Ｖｓｓは、ガンマ電圧を供給する増幅器・・・、ａｍｐn-1及びａｍｐnに供給されない。
【００５８】
例示的実施形態では、所定のガンマ電圧は、黒色に対応する電圧とすることができ、所定のガンマ電圧を出力する増幅器ａｍｐ0は、大型サイズのトランジスタとして形成し、高い電流駆動能力を有することができる。図８及び図９に示す例示的実施形態は、単なる例であり、赤色ガンマ生成器ではなく、青色ガンマ生成器又は緑色ガンマ生成器内に含まれる増幅器が駆動され、ガンマ電圧を出力することができる。
【００５９】
増幅器ａｍｐ0によって出力したガンマ電圧は、デジタル・アナログ変換器ＤＡＣに供給され、ガンマ電圧に対応するグレースケール信号に変換され、バッファ増幅器に供給される。バッファ増幅器ａｍｐｇ１、ａｍｐｂ１、ａｍｐｒ２、ａｍｐｇ２、ａｍｐｂ２、・・・は、論理ロー状態の起動信号ｅｎを備え、したがって非起動状態であり、所定の増幅器ａｍｐｒ１は、デジタル・アナログ変換器ＤＡＣによって出力したグレースケール信号をバッファに入れ、出力する。複数の電気的に接続した画素を駆動する増幅器ａｍｐｒ１は、電流駆動能力を改良させる大型サイズのトランジスタを含むことができ、したがって、他の増幅器よりも大きいサイズを有することができる。
【００６０】
論理ハイ状態の制御信号ｃｏｎは、スイッチＳＷの制御電極に供給され、スイッチＳＷをオンにする。したがって、同じグレースケール電圧は、複数の画素Ｒ１、Ｇ１、Ｂ１、Ｒ２、Ｇ２、Ｂ２、・・・に供給される。
【００６１】
上記の例示的実施形態によれば、複数の画素が全て同じ色、例えば黒色を表示する必要がある場合、ガンマ生成器内に含まれる複数の増幅器のただ１つを駆動してガンマ電圧を出力することができ、ただ１つの増幅器を駆動して１つの群内に含まれる画素を駆動することができる。したがって、不必要な電力消費を低減することが可能である。
【００６２】
図１０は、別の例示的実施形態によるソース・ドライバ３００の図である。図１０を参照すると、スイッチは、同じ群の画素を一緒に電気的に接続する。例示的実施形態では、スイッチＳＷRをオンにすると、群内で一緒に赤色を表示する画素Ｒ１、Ｒ２、・・・を電気的に接続することができ、スイッチＳＷGをオンにすると、群内で一緒に緑色を表示する画素Ｇ１、Ｇ２、・・・を電気的に接続することができ、スイッチＳＷBをオンにすると、群内で一緒に青色を表示する画素Ｂ１、Ｂ２、・・・を電気的に接続することができる。
【００６３】
図１０に示す例示的実施形態では、ガンマ生成器は、タイミング調節器が供給した単純パターンに対応する画像データを受信し、対応するガンマ電圧を供給することができる。別の例では、ガンマ生成器は、起動信号ｅｎを受信することができ、図９に示すように、所定のガンマ電圧を出力する増幅器を除いて、増幅器を非起動状態にすることができる。
【００６４】
赤色ガンマ生成器、緑色ガンマ生成器及び青色ガンマ生成器によって個別に出力されたガンマ信号は、デジタル・アナログ変換器ＤＡＣに供給され、対応するアナログ信号であるグレースケール電圧に変換され、増幅器に供給される。論理ロー状態の起動信号ｅｎが受信されるため、増幅器ａｍｐｒ２、ａｍｐｇ２、ａｍｐｂ２、・・・は非起動状態にされるが、所定の増幅器ａｍｐｒ１、ａｍｐｇ１及びａｍｐｂ１は、デジタル・アナログ変換器ＤＡＣによって変換したグレースケール信号をバッファに入れ、出力する。複数の電気的に接続した画素を駆動する増幅器ａｍｐｒ１は、電流駆動能力を改良させる大型サイズのトランジスタを含むことができ、したがって、他の増幅器よりも大きいサイズを有することができる。画素が表示する色ごとに１つの所定の増幅器があってもよい。
【００６５】
論理ハイ状態の制御信号ｃｏｎは、スイッチＳＷの制御電極に供給されると、スイッチＳＷをオンにする。したがって、同じグレースケール電圧は、同じ色を表示する画素に供給され、同じ色を表示する画素は、同じ色を表示する。
【００６６】
ソース・ドライバの上述の例示的実施形態は、個別に又は組み合わせて実施することができる。
【００６７】
本発明の例示的実施形態によれば、表示パネル内に表示する画像に変化がない場合、パターン分析結果に従って、表示パネルを駆動する増幅器及びガンマ電圧供給器に供給する電力を低減することが可能である。したがって、不必要な電力消費を低減することが可能である。
【００６８】
本発明の例示的実施形態によれば、表示デバイスの特定の領域内に表示される画像が特定のパターンに対応する場合、電力消費を低減することが可能である。
【００６９】
本発明の例示的実施形態を添付の図面を参照して上記で説明してきたが、様々な修正及び等価物は、これらの例示的実施形態から行い得ることは当業者であれば理解されよう。したがって、本発明の技術的範囲は、以下の特許請求の範囲によって決定すべきである。
【図１】
2018173639.tif 000003
【図２】
2018173639.tif 000004
【図３】
2018173639.tif 000005
【図４】
2018173639.tif 000006
【図５】
2018173639.tif 000007
【図６】
2018173639.tif 000008
【図７】
2018173639.tif 000009
【図８】
2018173639.tif 000010
【図９】
2018173639.tif 000011
【図１０】
2018173639.tif 000012